(57)【要約】【課題】  リッドを前方にスライドさせた状態においても、カップホルダを使用することができるとともに、そのカップホルダの使用中にも、リッドをアームレストとして使用することができるようにすること。【解決手段】  コンソールボックス１２の上面にリッド１３を前後方向へスライド可能に配設する。リッド１３を、本体部１４と、その本体部１４に水平面内で本体部１４に沿う第１位置と本体部１４から離間する第２位置Ｐ２とに旋回可能に支持された旋回部１５とから構成する。本体部１４と旋回部１５との間には、旋回部１５が第１位置から第２位置Ｐ２に旋回することにより、本体部１４内から引き出されるカップホルダ２５を設ける。【選択図】      図３
2005160538.tif 000002
【特許請求の範囲】
【請求項１】
アームレストを、本体部と、その本体部に水平面内において旋回可能に支持され、本体部に沿う第１位置とその第１位置から所定角度旋回する第２位置とに配置可能な旋回部とにより構成し、
前記本体部と旋回部との間には、旋回部が第１位置から第２位置に旋回することにより、本体部内から引き出されるカップホルダを設けたことを特徴とするアームレスト装置。
【請求項２】
前記旋回部が、本体部の前部に配置されるとともに、左右いずれか一端側において本体部に軸支されていることを特徴とする請求項１に記載のアームレスト装置。
【請求項３】
前記カップホルダが、本体部にその内部と外部との間で移動可能に設けられた第１ホルダ部と、その第１ホルダ部と係合するように旋回部に設けられた第２ホルダとを備え、前記旋回部が第１位置にあるときには、第１及び第２ホルダ部が本体部の内部に収容され、旋回部が第１位置から第２位置に旋回されたときには、第２ホルダ部が本体部の外部に配置されるとともに、第１ホルダ部が第２ホルダ部によって引き出されるように構成したことを特徴とする請求項１または請求項２に記載のアームレスト装置。
【請求項４】
前記旋回部を第２位置側に付勢する付勢手段と、その付勢手段の付勢力に抗して旋回部を第１位置に保持する解除操作可能な保持手段とを設けたことを特徴とする請求項３に記載のアームレスト装置。
【発明の詳細な説明】
【技術分野】
【０００１】
この発明は、乗用車等の車両に設けられるアームレスト装置に係り、特にカップを保持するためのカップホルダを備えたアームレスト装置に関するものである。
【背景技術】
【０００２】
従来のこの種のアームレスト装置としては、例えば図８及び図９に示すような構成のものが知られている。この従来構成においては、コンソールボックス４１の上面開口を開閉可能なリッド４２が前後方向へスライド可能に配設されている。このリッド４２は、アームレストとして機能する。リッド４２の前方において、コンソールボックス４１の上面には一対の凹状のカップホルダ４３が形成されている。そして、リッド４２を後方にスライドさせた状態で、カップホルダ４３内にカップＣを挿入保持できるようになっている。
【０００３】
また、カップホルダ機能を有するアームレストとしては、例えば特許文献１に開示されるような構成が従来から提案されている。この従来構成においては、図１０に示すように、アームレスト４４の先端上面に一対のカップホルダ４５が配設されている。このカップホルダ４５には、上面を開口したホルダ本体４５ａと、そのホルダ本体４５ａの上面開口部に開閉回動可能に取り付けられた蓋体４５ｂとが設けられている。そして、蓋体４５ｂを上方に起立開放させた状態で、ホルダ本体４５ａ内にカップＣを挿入保持できるようになっている。
【特許文献１】特開２００１−２５３２９０号公報
【発明の開示】
【発明が解決しようとする課題】
【０００４】
ところが、前記のような従来構成においては、次のような問題があった。
すなわち、図８及び図９に示す従来構成では、リッド４２を前方にスライドさせた状態でアームレストとして使用しているとき、カップホルダ４３の上面が隠蔽されるため、カップホルダ４３にカップＣを挿入保持することができず、カップホルダ４３の機能を発揮できない。
【０００５】
また、図１０に示す従来構成では、カップホルダ４５の使用時に、アームレスト４４の先端上面に蓋体４５ｂが起立されるとともに、カップＣが突出配置されるため、アームレスト４４を使用する場合に蓋体４５ｂやカップＣが邪魔になるものであった。
【０００６】
この発明は、このような従来の技術に存在する問題点に着目してなされたものである。その目的は、アームレストを前方にスライドさせた状態においても、カップホルダを使用することができるとともに、そのカップホルダの使用中にも、アームレストを問題なく使用することができるアームレスト装置を提供することにある。
【課題を解決するための手段】
【０００７】
上記の目的を達成するために、請求項１に記載の発明は、アームレストを、本体部と、その本体部に水平面内において旋回可能に支持され、本体部に沿う第１位置とその第１位置から所定角度旋回する第２位置とに配置可能な旋回部とにより構成し、前記本体部と旋回部との間には、旋回部が第１位置から第２位置に旋回することにより、本体部内から引き出されるカップホルダを設けたことを特徴とする。
【０００８】
請求項２に記載の発明は、請求項１に記載の発明において、前記旋回部が、本体部の前部に配置されるとともに、左右いずれか一端側において本体部に軸支されていることを特徴とする。
【０００９】
請求項３に記載の発明は、請求項１または請求項２に記載の発明において、前記カップホルダが、本体部にその内部と外部との間で移動可能に設けられた第１ホルダ部と、その第１ホルダ部と係合するように旋回部に設けられた第２ホルダ部とを備え、前記旋回部が第１位置にあるときには、第１及び第２ホルダ部が本体部の内部に収容され、旋回部が第１位置から第２位置に旋回されたときには、第２ホルダ部が本体部の外部に配置されるとともに、第１ホルダ部が第２ホルダ部によって引き出されるように構成したことを特徴とする。
【００１０】
請求項４に記載の発明は、請求項３に記載の発明において、前記旋回部を第２位置側に付勢する付勢手段と、その付勢手段の付勢力に抗して旋回部を第１位置に保持する解除操作可能な保持手段とを設けたことを特徴とする。
【００１１】
（作用）
この発明においては、アームレストの旋回部が第１位置から第２位置に旋回することにより、カップホルダが本体部内から引き出されて、そのカップホルダを使用状態にすることができる。従って、アームレストが前後位置に関わらず、そのアームレストの位置に関係なくカップホルダを使用できる。また、このカップホルダの使用中には、アームレストの旋回部が本体部に連続した第２位置に配置されているため、その旋回部に肘を掛けてアームレストを使用することができる。
【００１２】
また、アームレストの旋回部が第１位置から第２位置に旋回することにより、カップホルダの第１及び第２ホルダ部がアームレストの本体部内から外部に突出配置されるようにすれば、これらのホルダ部にカップＣを保持して便利に使用することができる。また、カップホルダの不使用時には、旋回部を第１位置に配置すれば、カップホルダが本体部内に収容されるため、カップホルダが邪魔になることがなく、外観も向上する。
【００１３】
さらに、保持手段を解除操作することにより、アームレストの旋回部が第１位置への保持状態から解除されて、付勢手段の付勢力に基づいて第１位置から第２位置に旋回されるようにすれば、カップホルダの使用時に、旋回部を第２位置へワンタッチで容易に旋回させることができる。
【発明の効果】
【００１４】
以上のように、この発明によれば、アームレストを前方にスライドさせた状態においても、カップホルダを使用することができる。また、このカップホルダの使用中にも、アームレスト本来の機能を発揮することができる。
【発明を実施するための最良の形態】
【００１５】
以下に、この発明の一実施形態を、図１〜図７に基づいて説明する。この実施形態は、フロアコンソールにおいてアームレスト装置を具体化したものであって、コンソールボックスのリッドがアームレストを構成する。
【００１６】
図１〜図５に示すように、この実施形態のアームレスト装置１１においては、コンソールボックス１２の上面開口部にアームレストとしてのリッド１３が、図示しないガイド構成により前後方向へスライド可能に配設されている。このリッド１３は、後部側の本体部１４と、前部側の旋回部１５とに分割して構成されている。旋回部１５は右端側において支軸を兼用する操作軸１６により、本体部１４の前部に水平面内で旋回可能に支持され、本体部１４の前縁に沿った第１位置Ｐ１と、本体部１４から前方に所定角度（この実施形態では９０度）旋回した第２位置Ｐ２とに配置されるようになっている。なお、旋回部１５と本体部１４との間には、旋回部１５を第２位置Ｐ２で規制するためのストッパ（図示しない）が設けられている。
【００１７】
図２及び図５（ａ）に示すように、前記リッド１３の旋回部１５と本体部１４との間には付勢手段としてのバネ１７が設けられ、このバネ１７の付勢力により、旋回部１５が第２位置Ｐ２に向かって回動付勢されている。
【００１８】
旋回部１５の操作軸１６付近には、バネ１７の付勢力に抗して旋回部１５を第１位置Ｐ１に保持するための解除操作可能な保持手段としての保持機構１８が設けられている。すなわち、前記操作軸１６は旋回部１５に上下方向へ移動可能に支持され、その上端には押釦１９が設けられている。操作軸１６の外周には係止爪２０が突設され、この係止爪２０と係脱可能に対応するように、本体部１４には保持突起２１が形成されている。
【００１９】
そして、旋回部１５が第１位置Ｐ１に配置された状態で、係止爪２０と保持突起２１との係合により、旋回部１５がバネ１７の付勢力に抗して第１位置Ｐ１に係止保持される。また、押釦１９の押圧操作により、操作軸１６が下方に移動されたときには、係止爪２０と保持突起２１との係合が解除されて、旋回部１５がバネ１７の付勢力により第１位置Ｐ１から第２位置Ｐ２に旋回されるようになっている。また、操作軸１６は前記バネ１７により上方へ付勢されている。
【００２０】
前記操作軸１６の下端とコンソールボックス１２との間にはロック機構２２が設けられている。すなわち、操作軸１６の下端には係合突起２３が突設され、この係合突起２３と係脱可能に対応するように、コンソールボックス１２内にはロック爪２４が配設されている。そして、押釦１９の押圧操作されたとき、係合突起２３とロック爪２４との係合により、操作軸１６が上方に移動しないようにロックさせることができるようになっている。
【００２１】
また、係止爪２０には従動ピン２０ａが突設され、図５（ｂ）に示すように、その従動ピン２０ａは、旋回部１５が第２位置Ｐ２から第１位置Ｐ１に復帰するときに本体部１４に形成されたカム溝１４ａに係合する。そして、旋回部１５をバネ１７の付勢力に抗して第２位置Ｐ２から第１位置Ｐ１に旋回させたとき、このカム溝１４ａのカム作用により、操作軸１６が上方に復帰移動されて、前記係合突起２３がロック爪２４から離脱されるとともに、係止爪２０が保持突起２１に掛止されるようになっている。
【００２２】
図２、図３、図６及び図７に示すように、前記リッド１３の本体部１４と旋回部１５との間には、カップＣを保持するためのカップホルダ２５が配設され、旋回部１５が第１位置Ｐ１から第２位置Ｐ２に旋回されたとき、本体部１４内から引き出されるようになっている。このカップホルダ２５は、本体部１４内に前方へ突出移動可能に設けられた円形のカップ支持孔２６ａを有する第１ホルダ部２６と、その第１ホルダ部２６と係合するように、旋回部１５の後面に突設された円形のカップ支持孔２７ａを有する第２ホルダ部２７とから構成されている。
【００２３】
前記第１ホルダ部２６の前端上面には係合ピン２８が突設され、この係合ピン２８と係合するように、第２ホルダ部２７の後端下面には係合溝２９が形成されている（図４（ａ）（ｂ）参照）。そして、図２及び図６に示すように、リッド１３の旋回部１５が第１位置Ｐ１にあるときには、第１及び第２ホルダ部２６，２７が本体部１４の内部に収容されている。また、図３、図４及び図７に示すように、旋回部１５が第１位置Ｐ１から第２位置Ｐ２に旋回されたときには、第２ホルダ部２７が本体部１４の外部に配置されるとともに、第１ホルダ部２６が第２ホルダ部２７により係合ピン２８と係合溝２９との係合を介して、本体部１４内から引き出されるようになっている。
【００２４】
前記カップホルダ２５の第１ホルダ部２６の下面には、カップＣの底面を保持するための正面形ほぼＵ字状のカップ保持部３０が支軸３１を介してそれぞれ回動可能に支持されている。そして、図６に示すように、リッド１３の旋回部１５が第１位置Ｐ１に配置されて、カップホルダ２５の両ホルダ部２６，２７が本体部１４内に収容されたときには、両カップ保持部３０が本体部１４の底板部１４ｂとの係合によりホルダ部２６，２７の下面に沿った不使用位置に折り畳まれる。また、図３及び図７に示すように、旋回部１５が第２位置Ｐ２に旋回されて、両ホルダ部２６，２７が本体部１４外に引き出されたときには、両カップ保持部３０が自重によりホルダ部２６，２７の下方に垂下した使用位置、すなわち前記カップ支持孔２６ａ，２７ａの下方のカップ受け位置にそれぞれ配置されるようになっている。
【００２５】
次に、前記のように構成されたこの実施形態の作用を説明する。
さて、図１及び図２に示す状態では、リッド１３の旋回部１５が本体部１４の前縁に沿った第１位置Ｐ１に配置されている。この状態においては、図５に示すように、保持機構１８の係止爪２０が保持突起２１に係合し、旋回部１５がバネ１７の付勢力に抗して第１位置Ｐ１に係止保持されている。また、カップホルダ２５の第１及び第２ホルダ部２６，２７は、リッド１３の本体部１４内に収容されている。従って、この状態でリッド１３全体をコンソールボックス１２の上面において前後方向にスライドさせて所要位置に配置し、アームレストとして使用することができる。また、前記のように、カップホルダ２５の第１及び第２ホルダ部２６，２７が、リッド１３の本体部１４内に収容されているため、そのカップホルダ２５は隠蔽されて、邪魔になることがなく、外観もすっきりしている。
【００２６】
次いで、カップホルダ２５を使用する場合には、押釦１９を押圧操作すると、操作軸１６が下方に移動されて、保持機構１８の係止爪２０が保持突起２１から離脱される。これにより、図３及び図４（ａ）に示すように、旋回部１５がバネ１７の付勢力にて第１位置Ｐ１から第２位置Ｐ２に旋回される。そして、ロック機構２２の係合突起２３とロック爪２４との係合により、操作軸１６が下方位置にロックされる。なお、旋回部１５は、図示しないストッパにより第２位置Ｐ２に保持される。
【００２７】
このように、旋回部１５が第２位置Ｐ２に旋回されると、カップホルダ２５の第２ホルダ部２７がリッド１３の本体部１４内から外部に突出されるとともに、第１ホルダ部２６が係合ピン２８と係合溝２９との係合を介して本体部１４内から引き出される。このとき、図７に示すように、両カップ保持部３０がホルダ部２６，２７の下方に垂下した使用位置に配置される。従って、この状態でカップホルダ２５の第１及び第２ホルダ部２６，２７にカップＣを挿入して、そのカップＣの底部をカップ保持部３０にて保持することができる。
【００２８】
この場合、カップホルダ２５がリッド１３の下方に設けられることなく、リッド１３の本体部１４と旋回部１５との間に設けられているため、リッド１３のコンソールボックス１２上での前後位置に関わらず、カップホルダ２５をリッド１３の本体部１４内から引き出して使用することができる。
【００２９】
また、このカップホルダ２５の使用中には、リッド１３の旋回部１５が本体部１４から前方に突出して、本体部１４と連続した第２位置Ｐ２に配置されているため、その旋回部１５をアームレストの一部として使用することもできる。
【００３０】
（変更例）
なお、この実施形態は、次のように変更して具体化することも可能である。
・  旋回部１５及びカップホルダ２５の配置を前記実施形態に対して左右逆にすること。すなわち、リッド１３の旋回部１５を本体部１４にその左端側において旋回可能に支持すること。
【００３１】
・  カップホルダ２５をリッド１３の本体部１４に出没移動可能に配設された１つまたは２つのカップ支持孔を有する１枚のホルダ部から構成し、旋回部１５が第１位置Ｐ１から第２位置Ｐ２に旋回されたとき、係合部等を介してホルダ部が本体部１４外に引き出されるように構成すること。
【００３２】
・  旋回部１５がゆっくり回動して高級感を現出するように、旋回部１５と本体部１４との間にダンパを設けること。
【図面の簡単な説明】
【００３３】
【図１】一実施形態のアームレスト装置を示す斜視図。
【図２】図１のアームレスト装置を拡大して示す要部平面図。
【図３】カップホルダの使用状態を示すアームレスト装置の斜視図。
【図４】（ａ）は図３の状態を拡大して示す要部平面図、（ｂ）は係合ピンと係合溝との関係を示す平断面図。
【図５】（ａ）は図２の５−５線における部分拡大断面図、（ｂ）は従動ピンとカム溝との関係を示す説明図。
【図６】図２の６−６線における部分拡大断面図。
【図７】図４の７−７線における部分拡大断面図。
【図８】従来のアームレスト装置を示す斜視図。
【図９】図８のアームレスト装置の側面図。
【図１０】従来のアームレスト装置の別の構成を示す斜視図。
【符号の説明】
【００３４】
１１…アームレスト装置、１２…コンソールボックス、１３…リッド、１４…本体部、１５…旋回部、１６…操作軸、１７…付勢手段としてのバネ、１８…保持手段としての保持機構、１９…押釦、２０…係止爪、２１…保持突起、２５…カップホルダ、２６…第１ホルダ部、２７…第２ホルダ部、Ｃ…カップ、Ｐ１…第１位置、Ｐ２…第２位置。
【図１】
2005160538.tif 000003
【図２】
2005160538.tif 000004
【図３】
2005160538.tif 000005
【図４】
2005160538.tif 000006
【図５】
2005160538.tif 000007
【図６】
2005160538.tif 000008
【図７】
2005160538.tif 000009
【図８】
2005160538.tif 000010
【図９】
2005160538.tif 000011
【図１０】
2005160538.tif 000012